(57)【要約】本発明は、アンテナ特性の広帯域化を実現し、性能を向上させた無線通信機を提供する。内部に第１の回路基板（５）を有し表面に入力部を有する第１の筐体（７）と、内部に第２の回路基板（６）を有し表面に表示部を有する第２の筐体（８）と、第１の回路基板（５）と第２の回路基板（６）を電気的に接続する接続部（４）と、第１と第２の回路基板のいずれか一方の回路基板にアンテナ部（３）とエレメント部（９）を配置し、第１の筐体（７）と前記第２の筐体（８）とをヒンジ部（２）を介して接続し折り畳み可能な構成とする。
2005004276.tif 000002
【特許請求の範囲】
【請求項１】
内部に第１の回路基板を有し表面に入力部を有する第１の筐体と、内部に第２の回路基板を有し表面に表示部を有する第２の筐体と、前記第１の回路基板と前記第２の回路基板を電気的に接続する接続部と、前記第１の筐体と前記第２の筐体とを接続し折り畳み可能とするヒンジ部とを有する携帯無線機であって、前記第１と第２の回路基板のうちいずれか一方の回路基板にアンテナ部とエレメント部とを配置したことを特徴とする携帯無線機。
【請求項２】
前記アンテナ部と前記エレメント部は前記回路基板の相対する辺の近傍にそれぞれを配置された請求項１に記載の携帯無線機。
【請求項３】
前記エレメント部は前記回路基板上のパターンで構成された請求項１に記載の携帯無線機。
【請求項４】
前記エレメント部は金属板で構成さらた請求項１に記載の携帯無線機。
【請求項５】
前記エレメント部の長さは、電気長がλ／２となるように構成した請求項１に記載の携帯無線機。
【請求項６】
前記アンテナ部はヘリカル素子とメアンダ素子とから構成された請求項１に記載の携帯無線機。
【請求項７】
前記アンテナ部は給電される複数の折り曲げ状素子から構成された請求項１に記載の携帯無線機。
【請求項８】
前記エレメント部を複数構成した請求項１に記載の携帯無線機。
【請求項９】
前記エレメント部と前記回路基板とは、インダクタンス部を介して接続される請求項１に記載の携帯無線機。
【発明の詳細な説明】
【技術分野】  本発明は携帯電話などの携帯無線機に関する。
【背景技術】  近年、無線通信機、特に携帯無線機の分野では内蔵アンテナがよく用いられている。
従来の開閉可能な携帯無線機の斜視図を図９に示す。
内蔵アンテナ１０３は、ヒンジ部１０２の付近に配置され接続部１０４に近接している。第１の回路基板であるキーボード側基板１０５は、接続部１０４を介して第２の回路基板である液晶側基板１０６と接続されている。キーボード側基板１０５は、表面に入力部を有する第１の筐体１０７に覆われている。液晶側基板１０６は、表示部を有する第２の筐体１０８に覆われている。
このような構成を有する携帯無線機の例が、特開２００３−８３２０号公報に開示されている。
図９に示すようなヒンジ部１０２付近に配置される内蔵アンテナ１０３の場合では、携帯無線機１０１を開閉すると、内蔵アンテナ１０３の入力インピーダンスが変化する。
特に、携帯無線機１０１を閉じた場合には、内蔵アンテナ１０３と接続部１０４が近接しているため、電流分布が集中し入力インピーダンス特性が劣化する。そのために、広帯域化が困難であった。
本発明は、アンテナ特性の広帯域化を実現し性能を向上させた携帯無線機を提供する。
【発明の開示】
本発明は、内部に第１の回路基板を有し表面に入力部を有する第１の筐体と、内部に第２の回路基板を有し表面に表示部を有する第２の筐体と、前記第１の回路基板と前記第２の回路基板を電気的に接続する接続部と、前記第１の筐体と前記第２の筐体とを接続し折り畳み可能とするヒンジ部とを有する携帯無線機であって、前記第１と第２の回路基板のうちいずれか一方の回路基板にアンテナ部とエレメント部とを配置したことを特徴とする携帯無線機を提供する。
【図面の簡単な説明】  図１は本発朋の第１の実施の形態の携帯無線機の構成を示す斜視図である。
図２は本発明の第１の実施の形態の携帯無線機のＶＳＷＲ特性を示す図である。
図３は従来の携帯無線機のＶＳＷＲ特性を示す図である。
図４は本発明における第２の実施の形態の携帯無線機の構成を示す斜視図である。
図５は本発明における第３の実施の形態のアンテナ部の構成を示す斜視図である。
図６は本発明における第４の実施の形態のアンテナ部の構成を示す斜視図である。
図７は本発明における第５の実施の形態の携帯無線機の構成を示す斜視図である。
図８は本発明における第６の実施の形態のエレメント部の構成を示す斜視図である。
図９は従来の携帯無線機の構成を示す斜視図である。
図面の参照符号の一覧表
１、１０１  携帯無線機
２、１０２  ヒンジ部
３、１０３  アンテナ部
４、１０４  接続部
５、１０５  キーボード側基板
６、１０６  液晶側基板
７、１０７  第１の筐体
８、１０８  第２の筐体
９  エレメント部
１１  第１の回路基板のグランドパターン
２０  樹脂基材
２１  ヘリカル素子
２２  給電部
２３  メアンダ素子
２４  第１の折り曲げ状素子
２５  第２の折り曲げ状素子
２６  第２のエレメント部
２７  インダクタンス部
【発明を実施するための最良の形態】  本発明の一実施の形態を、図面を用いて説明する。
なお、図面は模式図であり各寸法位置を正しく示したものではない。また、同一の構成部品には同じ参照符号を付与し、詳細な説明は省略する。
（実施の形態１）
図１を用いて本発明の実施の形態１を説明する。
開閉可能な携帯無線機１のアンテナ部３は、ヒンジ部２の付近に配置され接続部４に近接する。
第１の回路基板であるキーボード側基板５は、接続部４を介して、第２の回路基板である液晶側基板６と接続されている。
キーボード側基板５は、表面に入力部を有する第１の筐体７に覆われている。そして、液晶側基板６は、表示部を有する第２の筐体８に覆われている。エレメント部９は、キーボード側基板５のアンテナ部３と対向する基板端部側のグランドと接続されていて、メアンダ状の金属板で形成される。
次に、本実施の形態の携帯無線機１の特性を説明する。
図２に、エレメント部９を付加した本構成による電圧定在波比特性（以下ＶＳＷＲ特性）を示す。  そして、エレメント部９を付加しない場合のＶＳＷＲ特性を図３に示す。
図２と図３における符号Ａ，Ｂ、Ｃ，Ｄはそれぞれ周波数が０．８３０ＧＨｚ、０．８８５ＧＨｚ、１．９２ＧＨｚ、２．１７ＧＨｚにおけるそれぞれのＶＳＷＲを示している。  例えば、図２におけるＣ点（１．９２ＧＨｚ）では、ＶＳＷＲは２．４６１３である。  図２からわかるように、２ＧＨｚ帯でＶＳＷＲ特性が１に近づく。  そして、ＶＳＷＲ特性が３より大きくない周波数帯域は３００ＭＨｚ程度（つまり、ＣとＤの範囲）となる。
これは回路側からの高周波電力が効率よくアンテナ側に供給されていることを示している。
つまり、この構成により２ＧＨｚ帯で広帯域化が実現できている。  一方、図３に示すようにエレメント部９を付加していない場合は、２ＧＨｚ帯においてＶＳＷＲ特性が３より大きくない周波数帯域は得られない。  すなわち、広帯域化は実現できていない。
このように、接続部４の近傍に配置されたアンテナ部３と、対向する基板端部にグランドと接続されたエレメント部９とを構成することで、広帯域化が可能となる。これは、アンテナ部３と接続部４とに集中した電流分布を、エレメント部９側に分散させて、アンテナ部３の入力インピーダンスを高インピーダンスにすることができるためである。このとき、エレメント部９は共振を起こすように、所望の周波数における１／２波長程度の長さとする。
すなわち、エレメント部９の長さは、電気長がλ／２となるように構成する。  なお、λは共振を起こす所望の周波数の波長を表している。
（実施の形態２）
図４を用いて本発明の実施の形態２を説明する。
アンテナ部３はヒンジ部２の付近に配置され、接続部４に近接する。  第１の回路基板であるキーボード側基板５は、接続部４を介して、第２の回路基板である液晶側基板６と接続されている。
キーボード側基板５は、表面に入力部を有する第１の筐体７に覆われている。  液晶側基板６は表示部を有する第２の筐体８に覆われている。  エレメント部９は、キーボード側基板５のグランドパターンから延長された基板上のパターンで形成される。
このように基板上のパターンを用いた場合でも、金属板で構成した場合と同様の効果を有することが可能となる。
さらに基板上のパターンで形成することができるため、コストを抑制することも可能となる。
（実施の形態３）
図５を用いて本発明の実施の形態３を説明する。
図５は、図１のアンテナ部３の一例を拡大して示している。
アンテナ部３は、給電されたヘリカル素子２１と、樹脂基材２０上の給電端子に接続される給電部２２と、ヘリカル素子２１と絶縁して配置されたメアンダ素子２３とから構成される。
このようにアンテナ部３を、ヘリカル素子２１とメアンダ素子２３とからなる複数の素子で構成する。
その結果、各素子の対応する複数の周波数帯に対応できる。
つまり、上記各素子のいずれかに対応した周波数帯において、広帯域な特性を実現する携帯無線機を提供することが可能となる。
（実施の形態４）
図６を用いて本発明の実施の形態４を説明する。
図６は、図１のアンテナ部３の、他の例を拡大して示している。
アンテナ部３は、給電された第１の折り曲げ状素子２４と、樹脂基材２０上の給電端子に接続される給電部２２と、第１の折り曲げ状素子２４に接続された第２の素子２５とから構成される。
このようにアンテナ部３を、第１の折り曲げ状素子２４と第２の折り曲げ状素子２５とからなる複数の素子で構成する。
その結果、各素子の対応する複数の周波数帯に対応できる。
つまり、上記各素子のいずれかに対応した周波数帯において、広帯域な特性を実現する携帯無線機を提供することが可能となる。
（実施の形態５）
図７を用いて本発明の実施の形態５を説明する。
図７のアンテナ部３は、図６に示すような給電された第１の折り曲げ状素子２４とこれに接続された第２の素子２５とで形成されている。そして、アンテナ部３は、ヒンジ部２の付近に配置され、接続部４に近接している。
第１の回路基板であるキーボード側基板５は、接続部４を介して、第２の回路基板である液晶側基板６と接続されている。
キーボード側基板５は、表面に入力部を有する第１の筐体７に覆われている。  液晶側基板６は、表示部を有する第２の筐体８に覆われている。  第１のエレメント部９と第２のエレメント部２６は、各々メアンダ状の金属板で形成され、それらはキーボード側基板５のアンテナ部３と対向する基板端部側のグランドと接続されている。
このように第１のエレメント部９が第１の周波数帯、第２のエレメント部２６が第２の周波数帯に対応して、それぞれ電流分布を集中させることで、複数の周波数帯において広帯域化を実現することができる。  そしてこのような特性を有する携帯無線機を提供することが可能となる。
（実施の形態６）
図８を用いて本発明の実施の形態６を説明する。
エレメント部９はメアンダ状の金属板で形成され、キーボード側基板５のアンテナ部３と対向する基板端部側のグランドとインダクタンス部２７を介して接続されている。
このようにインダクタンス部２７を介して接続することで、エレメント部の長さを短くすることができるので、エレメント部を小型に構成することが可能となる。  インダクタンス部としてははチップコイル等を用いることができる。
本発明は、内部に第１の回路基板を有し表面に入力部を有する第１の筐体と、内部に第２の回路基板を有し表面に表示部を有する第２の筐体と、前記第１の回路基板と前記第２の回路基板を電気的に接続する接続部と、前記第１と第２の回路基板のいずれか一方の回路基板にアンテナ部とエレメント部を配置し、前記第１の筐体と前記第２の筐体とをヒンジ部を介して接続し折り畳み可能とした構成の携帯無線機であり、この構成とすることで、エレメント部に電流を集中させて、アンテナの入力インピーダンスを広帯域化することが可能となる。
さらに、本発明はアンテナ部とエレメント部は回路基板の相対する辺の近傍にそれぞれを配置することで、エレメント部に電流を集中させて、アンテナの入力インピーダンスを広帯域化することが可能となる。
また、本発明では、エレメント部を回路基板上のパターンで形成することで、エレメント部に電流を集中させて、アンテナの入力インピーダンスを広帯域化することが可能となる。
さらに、本発明ではエレメント部を金属板で形成することで、エレメント部に電流を集中させて、アンテナの入力インピーダンスを広帯域化することが可能となる。
また、本発明は、エレメント部の長さは電気長λ／２とすることで、エレメント部に電流を集中させて、アンテナの入力インピーダンスを広帯域化することが可能となる。
本発明では、アンテナ部をヘリカル素子とメアンダ素子とから構成することで、エレメント部に電流を集中させて、アンテナの入力インピーダンスを広帯域化することが可能となる。
本発明では、アンテナ部を給電された複数の折り曲げ状素子で構成とすることで、エレメント部に電流を集中させて、アンテナの入力インピーダンスを広帯域化することが可能となる。
本発明では、エレメント部を複数構成することで、複数のエレメント部に電流を集中させて、複数の周波数帯でアンテナの入力インピーダンスを広帯域化することが可能となる。
本発明では、エレメント部と回路基板との接続部を、インダクタンス部を介して接続する構成とすることで、エレメント部に電流を集中させて、アンテナの入力インピーダンスを広帯域化することが可能となる。
以上のように本発明は、２枚の回路基板とこれらを電気的に接続する接続部と、いずれか一方の回路基板にアンテナ部とエレメント部を配置し、２つの筐体をヒンジ部を介して接続し折り畳み可能とした構成とする。このようにして、広帯域な特性を持つ携帯無線機を提供することができる。
【産業上の利用可能性】  本発明のアンテナは、広帯域化が必要な携帯無線機に内蔵して広く適用することができる。
【図１】
2005004276.tif 000003
【図２】
2005004276.tif 000004
【図３】
2005004276.tif 000005
【図４】
2005004276.tif 000006
【図５】
2005004276.tif 000007
【図６】
2005004276.tif 000008
【図７】
2005004276.tif 000009
【図８】
2005004276.tif 000010
【図９】
2005004276.tif 000011
【手続補正書】
【提出日】平成16年11月4日(2004.11.4)
【手続補正１】
【補正対象書類名】特許請求の範囲
【補正対象項目名】全文
【補正方法】変更
【補正の内容】
【特許請求の範囲】
【請求項１】
内部に第１の回路基板を有し表面に入力部を有する第１の筐体と、内部に第２の回路基板を有し表面に表示部を有する第２の筐体と、前記第１の回路基板と前記第２の回路基板を電気的に接続する接続部と、前記第１の筐体と前記第２の筐体とを接続し折り畳み可能とするヒンジ部とを有する携帯無線機であって、前記第１と第２の回路基板のうちいずれか一方の回路基板にアンテナ部とエレメント部とを配置したことを特徴とする携帯無線機。
【請求項２】
前記アンテナ部と前記エレメント部は前記回路基板の相対する辺の近傍にそれぞれを配置された請求項１に記載の携帯無線機。
【請求項３】
前記エレメント部は前記回路基板上のパターンで構成された請求項１に記載の携帯無線機。
【請求項４】
前記エレメント部は金属板で構成さらた請求項１に記載の携帯無線機。
【請求項５】
前記エレメント部の長さは、電気長がλ／２となるように構成した請求項１に記載の携帯無線機。
【請求項６】
前記アンテナ部はヘリカル素子とメアンダ素子とから構成された請求項１に記載の携帯無線機。
【請求項７】
前記アンテナ部は給電される複数の折り曲げ状素子から構成された請求項１に記載の携帯無線機。
【請求項８】
前記エレメント部を複数構成した請求項１に記載の携帯無線機。
【請求項９】
前記エレメント部と前記回路基板とは、インダクタンス部を介して接続される請求項１に記載の携帯無線機。
【手続補正２】
【補正対象書類名】明細書
【補正対象項目名】全文
【補正方法】変更
【補正の内容】
【発明の詳細な説明】
【技術分野】
【０００１】
本発明は携帯電話などの携帯無線機に関する。
【背景技術】
【０００２】
近年、無線通信機、特に携帯無線機の分野では内蔵アンテナがよく用いられている。
【０００３】
従来の開閉可能な携帯無線機の斜視図を図9に示す。
【０００４】
内蔵アンテナ１０３は、ヒンジ部１０２の付近に配置され接続部１０４に近接している。第１の回路基板であるキーボード側基板１０５は、接続部１０４を介して第２の回路基板である液晶側基板１０６と接続されている。キーボード側基板１０５は、表面に入力部を有する第１の筐体１０７に覆われている。液晶側基板１０６は、表示部を有する第２の筐体１０８に覆われている。
【０００５】
このような構成を有する携帯無線機の例が、特開２００３−８３２０号公報に開示されている。
【０００６】
図９に示すようなヒンジ部１０２付近に配置される内蔵アンテナ１０３の場合では、携帯無線機１０１を開閉すると、内蔵アンテナ１０３の入力インピーダンスが変化する。
【０００７】
特に、携帯無線機１０１を閉じた場合には、内蔵アンテナ１０３と接続部１０４が近接しているため、電流分布が集中し入力インピーダンス特性が劣化する。そのために、広帯域化が困難であった。
【発明の開示】
【発明が解決しようとする課題】
【０００８】
本発明は、アンテナ特性の広帯域化を実現し性能を向上させた携帯無線機を提供する。
【課題を解決するための手段】
【０００９】
本発明は、内部に第１の回路基板を有し表面に入力部を有する第１の筐体と、内部に第２の回路基板を有し表面に表示部を有する第２の筐体と、前記第１の回路基板と前記第２の回路基板を電気的に接続する接続部と、前記第１の筐体と前記第２の筐体とを接続し折り畳み可能とするヒンジ部とを有する携帯無線機であって、前記第１と第２の回路基板のうちいずれか一方の回路基板にアンテナ部とエレメント部とを配置したことを特徴とする携帯無線機を提供する。
【発明の効果】
【００１０】
本発明のアンテナは、広帯域化が必要な携帯無線機に内蔵して広く適用することができる。
【発明を実施するための最良の形態】
【００１１】
本発明の一実施の形態を、図面を用いて説明する。
【００１２】
なお、図面は模式図であり各寸法位置を正しく示したものではない。また、同一の構成部品には同じ参照符号を付与し、詳細な説明は省略する。
【００１３】
（実施の形態１）
図１を用いて本発明の実施の形態１を説明する。
【００１４】
開閉可能な携帯無線機１のアンテナ部３は、ヒンジ部２の付近に配置され接続部４に近接する。
【００１５】
第１の回路基板であるキーボード側基板５は、接続部４を介して、第２の回路基板である液晶側基板６と接続されている。
【００１６】
キーボード側基板５は、表面に入力部を有する第１の筐体７に覆われている。そして、液晶側基板６は、表示部を有する第２の筐体８に覆われている。エレメント部９は、キーボード側基板５のアンテナ部３と対向する基板端部側のグランドと接続されていて、メアンダ状の金属板で形成される。
【００１７】
次に、本実施の形態の携帯無線機１の特性を説明する。
【００１８】
図２に、エレメント部９を付加した本構成による電圧定在波比特性（以下ＶＳＷＲ特性）を示す。  そして、エレメント部９を付加しない場合のＶＳＷＲ特性を図３に示す。
【００１９】
図２と図3における符号Ａ，Ｂ、Ｃ，Ｄはそれぞれ周波数が０．８３０ＧＨｚ、０．８８５ＧＨｚ、１．９２ＧＨｚ、２．１７ＧＨｚにおけるそれぞれのＶＳＷＲを示している。例えば、図２におけるＣ点（１．９２ＧＨｚ）では、ＶＳＷＲは２．４６１３である。図２からわかるように、２ＧＨｚ帯でＶＳＷＲ特性が１に近づく。そして、ＶＳＷＲ特性が３より大きくない周波数帯域は３００ＭＨｚ程度（つまり、ＣとＤの範囲）となる。
【００２０】
これは回路側からの高周波電力が効率よくアンテナ側に供給されていることを示している。
【００２１】
つまり、この構成により２ＧＨｚ帯で広帯域化が実現できている。一方、図３に示すようにエレメント部９を付加していない場合は、２ＧＨｚ帯においてＶＳＷＲ特性が３より大きくない周波数帯域は得られない。すなわち、広帯域化は実現できていない。
【００２２】
このように、接続部４の近傍に配置されたアンテナ部３と、対向する基板端部にグランドと接続されたエレメント部９とを構成することで、広帯域化が可能となる。これは、アンテナ部３と接続部４とに集中した電流分布を、エレメント部９側に分散させて、アンテナ部３の入力インピーダンスを高インピーダンスにすることができるためである。このとき、エレメント部９は共振を起こすように、所望の周波数における１／２波長程度の長さとする。
【００２３】
すなわち、エレメント部９の長さは、電気長が(／２となるように構成する。なお、(は共振を起こす所望の周波数の波長を表している。
【００２４】
（実施の形態２）
図４を用いて本発明の実施の形態２を説明する。
【００２５】
アンテナ部３はヒンジ部２の付近に配置され、接続部４に近接する。第１の回路基板であるキーボード側基板５は、接続部４を介して、第２の回路基板である液晶側基板６と接続されている。
【００２６】
キーボード側基板５は、表面に入力部を有する第１の筐体７に覆われている。液晶側基板６は表示部を有する第２の筐体８に覆われている。エレメント部９は、キーボード側基板５のグランドパターンから延長された基板上のパターンで形成される。
【００２７】
このように基板上のパターンを用いた場合でも、金属板で構成した場合と同様の効果を有することが可能となる。
【００２８】
さらに基板上のパターンで形成することができるため、コストを抑制することも可能となる。
【００２９】
（実施の形態３）
図５を用いて本発明の実施の形態３を説明する。
【００３０】
図５は、図１のアンテナ部３の一例を拡大して示している。
【００３１】
アンテナ部３は、給電されたヘリカル素子２１と、樹脂基材２０上の給電端子に接続される給電部２２と、ヘリカル素子２１と絶縁して配置されたメアンダ素子２３とから構成される。
【００３２】
このようにアンテナ部３を、ヘリカル素子２１とメアンダ素子２３とからなる複数の素子で構成する。
【００３３】
その結果、各素子の対応する複数の周波数帯に対応できる。
【００３４】
つまり、上記各素子のいずれかに対応した周波数帯において、広帯域な特性を実現する携帯無線機を提供することが可能となる。
【００３５】
（実施の形態４）
図６を用いて本発明の実施の形態４を説明する。
【００３６】
図６は、図１のアンテナ部３の、他の例を拡大して示している。
【００３７】
アンテナ部３は、給電された第１の折り曲げ状素子２４と、樹脂基材２０上の給電端子に接続される給電部２２と、第１の折り曲げ状素子２４に接続された第２の素子２５とから構成される。
【００３８】
このようにアンテナ部３を、第１の折り曲げ状素子２４と第２の折り曲げ状素子２５とからなる複数の素子で構成する。
【００３９】
その結果、各素子の対応する複数の周波数帯に対応できる。
【００４０】
つまり、上記各素子のいずれかに対応した周波数帯において、広帯域な特性を実現する携帯無線機を提供することが可能となる。
【００４１】
（実施の形態５）
図７を用いて本発明の実施の形態５を説明する。
【００４２】
図７のアンテナ部３は、図６に示すような給電された第１の折り曲げ状素子２４とこれに接続された第２の素子２５とで形成されている。そして、アンテナ部３は、ヒンジ部２の付近に配置され、接続部４に近接している。
【００４３】
第１の回路基板であるキーボード側基板５は、接続部４を介して、第２の回路基板である液晶側基板６と接続されている。
【００４４】
キーボード側基板５は、表面に入力部を有する第１の筐体７に覆われている。液晶側基板６は、表示部を有する第２の筐体８に覆われている。第１のエレメント部９と第２のエレメント部２６は、各々メアンダ状の金属板で形成され、それらはキーボード側基板５のアンテナ部３と対向する基板端部側のグランドと接続されている。
【００４５】
このように第１のエレメント部９が第１の周波数帯、第２のエレメント部２６が第２の周波数帯に対応して、それぞれ電流分布を集中させることで、複数の周波数帯において広帯域化を実現することができる。そしてこのような特性を有する携帯無線機を提供することが可能となる。
【００４６】
（実施の形態６）
図８を用いて本発明の実施の形態６を説明する。
【００４７】
エレメント部９はメアンダ状の金属板で形成され、キーボード側基板５のアンテナ部３と対向する基板端部側のグランドとインダクタンス部２７を介して接続されている。
【００４８】
このようにインダクタンス部２７を介して接続することで、エレメント部の長さを短くすることができるので、エレメント部を小型に構成することが可能となる。インダクタンス部としてははチップコイル等を用いることができる。
【００４９】
本発明は、内部に第１の回路基板を有し表面に入力部を有する第１の筐体と、内部に第２の回路基板を有し表面に表示部を有する第２の筐体と、前記第１の回路基板と前記第２の回路基板を電気的に接続する接続部と、前記第１と第２の回路基板のいずれか一方の回路基板にアンテナ部とエレメント部を配置し、前記第１の筐体と前記第２の筐体とをヒンジ部を介して接続し折り畳み可能とした構成の携帯無線機であり、この構成とすることで、エレメント部に電流を集中させて、アンテナの入力インピーダンスを広帯域化することが可能となる。
【００５０】
さらに、本発明はアンテナ部とエレメント部は回路基板の相対する辺の近傍にそれぞれを配置することで、エレメント部に電流を集中させて、アンテナの入力インピーダンスを広帯域化することが可能となる。
【００５１】
また、本発明では、エレメント部を回路基板上のパターンで形成することで、エレメント部に電流を集中させて、アンテナの入力インピーダンスを広帯域化することが可能となる。
【００５２】
さらに、本発明ではエレメント部を金属板で形成することで、エレメント部に電流を集中させて、アンテナの入力インピーダンスを広帯域化することが可能となる。
【００５３】
また、本発明は、エレメント部の長さは電気長λ／２とすることで、エレメント部に電流を集中させて、アンテナの入力インピーダンスを広帯域化することが可能となる。
【００５４】
本発明では、アンテナ部をヘリカル素子とメアンダ素子とから構成することで、エレメント部に電流を集中させて、アンテナの入力インピーダンスを広帯域化することが可能となる。
【００５５】
本発明では、アンテナ部を給電された複数の折り曲げ状素子で構成とすることで、エレメント部に電流を集中させて、アンテナの入力インピーダンスを広帯域化することが可能となる。
【００５６】
本発明では、エレメント部を複数構成することで、複数のエレメント部に電流を集中させて、複数の周波数帯でアンテナの入力インピーダンスを広帯域化することが可能となる。
【００５７】
本発明では、エレメント部と回路基板との接続部を、インダクタンス部を介して接続する構成とすることで、エレメント部に電流を集中させて、アンテナの入力インピーダンスを広帯域化することが可能となる。
【００５８】
以上のように本発明は、２枚の回路基板とこれらを電気的に接続する接続部と、いずれか一方の回路基板にアンテナ部とエレメント部を配置し、２つの筐体をヒンジ部を介して接続し折り畳み可能とした構成とする。このようにして、広帯域な特性を持つ携帯無線機を提供することができる。
【産業上の利用可能性】
【００５９】
本発明のアンテナは、広帯域化が必要な携帯無線機に内蔵して広く適用することができる。
【図面の簡単な説明】
【００６０】
【図１】本発明の第１の実施の形態の携帯無線機の構成を示す斜視図
【図２】本発明の第１の実施の形態の携帯無線機のＶＳＷＲ特性を示す図
【図３】従来の携帯無線機のＶＳＷＲ特性を示す図
【図４】本発明における第２の実施の形態の携帯無線機の構成を示す斜視図
【図５】本発明における第３の実施の形態のアンテナ部の構成を示す斜視図
【図６】本発明における第４の実施の形態のアンテナ部の構成を示す斜視図
【図７】本発明における第５の実施の形態の携帯無線機の構成を示す斜視図
【図８】本発明における第６の実施の形態のエレメント部の構成を示す斜視図
【図９】従来の携帯無線機の構成を示す斜視図
【符号の説明】
【００６１】
１、１０１  携帯無線機
２、１０２  ヒンジ部
３、１０３  アンテナ部
４、１０４  接続部
５、１０５  キーボード側基板
６、１０６  液晶側基板
７、１０７  第１の筐体
８、１０８  第２の筐体
９  エレメント部
１１  第１の回路基板のグランドパターン
２０  樹脂基材
２１  ヘリカル素子
２２  給電部
２３  メアンダ素子
２４  第１の折り曲げ状素子
２５  第２の折り曲げ状素子
２６  第２のエレメント部
２７  インダクタンス部
【手続補正３】
【補正対象書類名】図面
【補正対象項目名】全図
【補正方法】変更
【補正の内容】
【図１】
2005004276.tif 000012
【図２】
2005004276.tif 000013
【図３】
2005004276.tif 000014
【図４】
2005004276.tif 000015
【図５】
2005004276.tif 000016
【図６】
2005004276.tif 000017
【図７】
2005004276.tif 000018
【図８】
2005004276.tif 000019
【図９】
2005004276.tif 000020
【国際調査報告】
2005004276.tif 000021
2005004276.tif 000022
2005004276.tif 000023